(57)【要約】【課題】下側ユニットの一部と上側ユニットの一部との境界部分に段差が生じにくい構造とされた画像読取装置を提供すること。【解決手段】読取ユニット３を閉位置へ変位させた際、第一凸部６１は第一凹部６６に嵌まり込むことで、前後方向及び上下方向について、本体ユニット２に対する読取ユニット３の相対位置を位置決めする。第一凹部６６は上側支持部材５１に一体成形され、第一凹部６６は外装部５５に一体成形されているので、上側支持部材５１と外装部５５は他部材を介することなく直接位置決めされ、その位置決め精度は高くなる。そのため、上側支持部材５１の上面５１Ａと外装部５５の上面５５Ａの高さ位置も精度よく位置決めされ、これにより、上側支持部材５１と外装部５５との境界部分に段差が生じるのを抑制することができる。【選択図】図９
2014110472.tif 000002
【特許請求の範囲】
【請求項１】
上面側に開口部を有する本体ユニットと、
前記本体ユニットに取り付けられ、前記開口部を閉鎖する閉位置、及び前記開口部を開放する開位置へ変位可能な読取ユニットと
を備え、
前記読取ユニットは、
原稿載置部材と、
前記原稿載置部材を下側から支持する下側支持部材と、
前記原稿載置部材の上側に当接し、前記原稿載置部材を前記下側支持部材との間に挟み込んで支持する上側支持部材と、
前記原稿載置部材と前記下側支持部材と間に配設され、前記原稿載置部材上に載置された原稿の画像を読み取る読取部と
を備え、
前記本体ユニットは、
前記読取ユニットを前記閉位置へ変位させた際に、前記上側支持部材と隣接する箇所に配置される外装部
を備え、
前記上側支持部材及び前記外装部には、いずれか一方に当接部、他方に被当接部が設けられて、前記読取ユニットを前記閉位置へ変位させた際に前記当接部と前記被当接部が直接当接する構造とされた位置決め機構が構成され、当該位置決め機構によって前記上側支持部材と前記外装部の上下方向の相対位置が位置決めされる
画像読取装置。
【請求項２】
前記当接部は、突出部とされていて、
前記突出部は、前記下側支持部材を貫通して前記被当接部に当接する
請求項１に記載の画像読取装置。
【請求項３】
前記被当接部は、前記突出部が嵌合する嵌合部とされている
請求項２に記載の画像読取装置。
【請求項４】
前記突出部は、先端に平坦部を有し、当該平坦部が前記嵌合部の底に当接することにより、前記上側支持部材と前記外装部の上下方向の相対位置が位置決めされる
請求項３に記載の画像読取装置。
【請求項５】
前記読取ユニットは、前記閉位置及び前記開位置へ回動可能に構成され、
前記突出部としては、前記読取ユニットの回動中心となる軸線が延びる方向について、互いに離間した二か所に設けられた第一凸部及び第二凸部が設けられ、
前記第一凸部及び前記第二凸部は、前記上側支持部材と前記外装部の相対位置を、上下方向について位置決めするのに加えて、前記読取ユニットの回動中心となる軸線が延びる方向及び上下方向の双方に対して垂直な方向についても位置決めし、
さらに、前記読取ユニットの回動中心となる軸線が延びる方向について、前記第一凸部と前記第二凸部の間となる位置には、前記上側支持部材と前記外装部の相対位置を、前記読取ユニットの回動中心となる軸線が延びる方向について位置決めする第三凸部が設けられている
請求項３又は請求項４に記載の画像読取装置。
【請求項６】
前記突出部は、前記突出部の突出方向に延びる軸線を中心とする周方向を板厚方向として、前記軸線から遠心方向に向かって放射状に延出する複数の板状部分を有する形状とされている
請求項３〜請求項５のいずれか一項に記載の画像読取装置。
【請求項７】
前記突出部は、前記読取ユニットの回動中心に対して平行に延びる二つの前記板状部分と、前記読取ユニットの回動中心に対して垂直に延びる二つの前記板状部分とを有し、
当該四つの前記板状部分のうち、前記読取ユニットの回動中心に対して垂直に延びる二つの前記板状部分が、前記読取ユニットの回動中心となる軸線が延びる方向及び上下方向の双方に対して垂直な方向の位置決めを行う
請求項６に記載の画像読取装置。
【請求項８】
四つの前記板状部分は、前記突出部の突出方向先端部分の外周側端面が、前記突出部の先端側ほど前記突出部の中心に近づく傾斜面とされている
請求項７に記載の画像読取装置。
【発明の詳細な説明】
【技術分野】
【０００１】
本発明は、画像読取装置に関する。
【背景技術】
【０００２】
従来、イメージセンサが組み込まれた下側ユニットと、自動原稿送り装置が組み込まれた上側ユニットとを備え、上側ユニットが下側ユニットに対して開閉可能な構造とされた画像読取装置が知られている（例えば、特許文献１参照。）。
【０００３】
また、この種の画像読取装置に加えて画像形成装置をも備えた複合機の場合、画像形成装置が組み込まれた下側ユニットと、画像読取装置が組み込まれた上側ユニットとを備え、上側ユニットが下側に対して開閉可能な構造とされることもある。
【０００４】
これらのような開閉構造を備える機器においては、上側ユニットを閉じたときに、上側ユニットと下側ユニットとの位置決めが必要となる場合がある。そのため、例えば、特許文献１に記載の技術の場合、上側ユニットの下部に凸部を設け、下側ユニットの上部に凹部を設け、これら凸部と凹部を嵌合させることで位置決めがなされる仕組みになっている。
【先行技術文献】
【特許文献】
【０００５】
【特許文献１】特開２００３−１１５９７６号公報
【発明の概要】
【発明が解決しようとする課題】
【０００６】
ところで、この種の機器においては、下側ユニットの一部と上側ユニットの一部とを隣り合う位置に配置して、両者の境界部分にほぼ段差を生じることなく両者の上面がフラットな面となるように外観を形成したい場合がある。
【０００７】
このような構造とされている場合、両ユニットの上下方向の位置決め精度が低いと、上記境界部分に大きな段差が生じたり、あるいは段差の大きさにばらつきが生じたりして、外観上の品質が低下する。したがって、このような問題を解消するには、両ユニットの上下方向の位置決め精度を高めることが重要である。
【０００８】
しかし、上記従来技術のように、上側ユニットの下部に凸部を設けても、この凸部と上側ユニットの上面を構成する部品と間には、通常は、複数の部品が介在している。そのため、それら複数の部品間において組み付け精度が公差の範囲内でばらつくと、それらの公差が蓄積することで、上側ユニットの下部の凸部で下側ユニットと位置決めを行っても、上側ユニットの上面と下側ユニットとの位置関係にもばらつきが生じてしまう、という問題がある。
【０００９】
本発明は、上記問題を解決するためになされたものであり、その目的は、下側ユニットの一部と上側ユニットの一部との境界部分に段差が生じにくい構造とされた画像読取装置を提供することにある。
【課題を解決するための手段】
【００１０】
以下、本発明において採用した構成について説明する。
本発明の画像読取装置は、上面側に開口部を有する本体ユニットと、前記本体ユニットに取り付けられ、前記開口部を閉鎖する閉位置、及び前記開口部を開放する開位置へ変位可能な読取ユニットとを備え、前記読取ユニットは、原稿載置部材と、前記原稿載置部材を下側から支持する下側支持部材と、前記原稿載置部材の上側に当接し、前記原稿載置部材を前記下側支持部材との間に挟み込んで支持する上側支持部材と、前記原稿載置部材と前記下側支持部材と間に配設され、前記原稿載置部材上に載置された原稿の画像を読み取る読取部とを備え、前記本体ユニットは、前記読取ユニットを前記閉位置へ変位させた際に、前記上側支持部材と隣接する箇所に配置される外装部を備え、前記上側支持部材及び前記外装部には、いずれか一方に当接部、他方に被当接部が設けられて、前記読取ユニットを前記閉位置へ変位させた際に前記当接部と前記被当接部が直接当接する構造とされた位置決め機構が構成され、当該位置決め機構によって前記上側支持部材と前記外装部の上下方向の相対位置が位置決めされる。
【００１１】
このように構成された画像読取装置によれば、読取ユニットを閉位置へ変位させた際には、上述のような位置決め機構が、当接部と被当接部を直接当接させることで、上側支持部材と外装部を上下方向について位置決めする。
【００１２】
そのため、上側支持部材と外装部との間にいくつもの部材が介在する状態で両者の位置決めがなされるものとは異なり、いくつもの部材が介在することに起因する公差の蓄積を排除することができる。したがって、上側支持部材と外装部を精度よく位置決めすることができ、上側支持部材と外装部の境界に上下方向の段差が生じるのを防止ないし抑制することができる。
【００１３】
ところで、本発明の画像読取装置において、前記当接部は、突出部とされていて、前記突出部は、前記下側支持部材を貫通して前記被当接部に当接することが好ましい。
このように構成された画像読取装置によれば、突出部という簡素な構成を利用して、上側支持部材と外装部とを直接位置決めすることができる。
【００１４】
また、本発明の画像読取装置において、前記被当接部は、前記突出部が嵌合する嵌合部とされていることが好ましい。
このように構成された画像読取装置によれば、突出部が嵌合部に嵌合するので、突出部の先端で上下方向の位置決めをするのと同時に、突出部の側面で側方（例えば前後方向、あるいは左右方向）の位置決めを行うことができる。
【００１５】
また、本発明の画像読取装置において、前記突出部は、先端に平坦部を有し、当該平坦部が前記嵌合部の底に当接することにより、前記上側支持部材と前記外装部の上下方向の相対位置が位置決めされることが好ましい。
【００１６】
このように構成された画像読取装置によれば、突出部先端の平坦部と嵌合部の底が当接することで、上側支持部材と外装部が位置決めされるので、このような平坦部が存在しない場合に比べ、当接面の面積が確保される。これにより、一点に荷重が集中するのを抑制できるので、突出部の変形や摩耗を抑制でき、上下方向の位置決め精度が良好な状態を適切に維持することができる。
【００１７】
また、本発明の画像読取装置において、前記読取ユニットは、前記閉位置及び前記開位置へ回動可能に構成され、前記突出部としては、前記読取ユニットの回動中心となる軸線が延びる方向について、互いに離間した二か所に設けられた第一凸部及び第二凸部が設けられ、前記第一凸部及び前記第二凸部は、前記上側支持部材と前記外装部の相対位置を、上下方向について位置決めするのに加えて、前記読取ユニットの回動中心となる軸線が延びる方向及び上下方向の双方に対して垂直な方向についても位置決めし、さらに、前記読取ユニットの回動中心となる軸線が延びる方向について、前記第一凸部と前記第二凸部の間となる位置には、前記上側支持部材と前記外装部の相対位置を、前記読取ユニットの回動中心となる軸線が延びる方向について位置決めする第三凸部が設けられていることが好ましい。
【００１８】
このように構成された画像読取装置によれば、両端にある第一凸部及び第二凸部で、「読取ユニットの回動中心となる軸線が延びる方向及び上下方向」の双方に対して垂直な方向の位置決めを行うので、中央にある突出部を利用する場合よりも、二つの突出部間の距離を長くとることができ、これにより、読取ユニットの回動中心との平行度を高めることができる。また、中央にある第三凸部で読取ユニットの回動中心となる軸線が延びる方向の位置決めを行うので、一端又は他端にある突出部よりも、当該軸線が延びる方向の両端それぞれまでの距離が短くなり、第三凸部から離れた位置にある部品までに蓄積される公差を小さくし、位置決め精度を高めることができる。
【００１９】
また、本発明の画像読取装置において、前記突出部は、前記突出部の突出方向に延びる軸線を中心とする周方向を板厚方向として、前記軸線から遠心方向に向かって放射状に延出する複数の板状部分を有する形状とされていることが好ましい。
【００２０】
このように構成された画像読取装置によれば、突出部が上述のような形状とされているので、突出部が嵌合部に嵌合する際には、放射状に延びた板状部分の端面で嵌合部内面に接触する状態になる。したがって、例えば円柱状の突出部などに比べ、突出部と嵌合部内面との接触面積が減少するので、突出部と嵌合部との間に作用する摩擦抵抗が小さくなり、読取ユニットを回動させる際の動きをスムーズにすることができる。
【００２１】
また、本発明の画像読取装置において、前記突出部は、前記読取ユニットの回動中心に対して平行に延びる二つの前記板状部分と、前記読取ユニットの回動中心に対して垂直に延びる二つの前記板状部分とを有し、当該四つの前記板状部分のうち、前記読取ユニットの回動中心に対して垂直に延びる二つの前記板状部分が、前記読取ユニットの回動中心となる軸線が延びる方向及び上下方向の双方に対して垂直な方向の位置決めを行うことが好ましい。
【００２２】
また、本発明の画像読取装置において、四つの前記板状部分は、前記突出部の突出方向先端部分の外周側端面が、前記突出部の先端側ほど前記突出部の中心に近づく傾斜面とされていることが好ましい。
【００２３】
このように構成された画像読取装置によれば、突出部の突出方向先端部分の外周側端面が、突出方向と平行に延びているものとは異なり、各板状部分の先端の角が嵌合部に引っかかるようなことがないので、突出部を嵌合部に対してスムーズに抜き挿しできる。
【図面の簡単な説明】
【００２４】
【図１】複合機全体の外観を示す斜視図。
【図２】複合機の内部構成を示すブロック図。
【図３】（ａ）は本体ユニットと閉位置へ変位させた読取ユニットを示す右側面図、（ｂ）は本体ユニットと開位置へ変位させた読取ユニットを示す右側面図。
【図４】本体ユニット及び読取ユニットの平面図。
【図５】図４中にＡ−Ａ線で示した箇所の断面図。
【図６】読取ユニットを示す斜視図。
【図７】本体ユニットの一部を示す斜視図。
【図８】（ａ）は第一凸部の正面図、（ｂ）は第一凸部の右側面図、（ｃ）は第一凸部の底面図、（ｄ）は第三凸部の正面図、（ｅ）は第三凸部の右側面図、（ｆ）は第三凸部の底面図。
【図９】図４中にＢ−Ｂ線で示した箇所の断面図。
【発明を実施するための形態】
【００２５】
次に、本発明の実施形態について一例を挙げて説明する。本実施形態においては、画像読取装置の一例として、画像読取装置としての機能（スキャン機能）に加え、その他の機能（例えば、プリント機能、コピー機能、ファクシミリ送受信機能など）を兼ね備えた複合機として構成されたものを例示する。
【００２６】
なお、以下の説明においては、複合機の各部について、図中に併記した上下左右前後の各方向を利用して説明を行う。ただし、これらの各方向は、複合機各部の相対的な位置関係を簡潔に説明するために利用するものに過ぎず、複合機が設置される場所との相対位置や複合機と利用者との相対位置などを規定するものではない。
【００２７】
［複合機の構造］
図１に示すように、複合機１は、本体ユニット２と、本体ユニット２の上側に搭載された読取ユニット３と、読取ユニット３の上側に搭載されたＡＤＦユニット４とを備える。これらのうち、読取ユニット３は、フラットベッド型イメージスキャナに相当する構成を備えている。また、ＡＤＦユニット４は、ＡＤＦ（Automatic Document Feeder；自動原稿送り装置）に相当する構成を備え、読取ユニット３とＡＤＦユニット４が協働することで、ＡＤＦ型イメージスキャナとして機能する。
【００２８】
本体ユニット２の前側上部には、利用者によって操作される操作パネル６が設けられている。本体ユニット２の下部には、印刷前の被記録媒体が収納される給紙カセット８が装着されている。本体ユニット２の前側で、操作パネル６の下方、給紙カセット８の上方となる位置には、印刷後の被記録媒体を取り出すための取出口９が設けられている。
【００２９】
本体ユニット２は、図２に示すように、上述した操作パネル６の他、制御部１１、画像形成部１２、ＬＡＮ通信部１３、ＰＳＴＮ通信部１４などを備える。制御部１１は、周知のＣＰＵ１１Ａ、ＲＯＭ１１Ｂ、ＲＡＭ１１Ｃ、ＮＶＲＡＭ１１Ｄ、インターフェース部１１Ｅなどを備える。ＣＰＵ１１Ａは、ＲＯＭ１１ＢやＲＡＭ１１Ｃに記憶された制御プログラムに従って所定の処理を実行し、これにより、複合機１の各部に対する制御が実行される。
【００３０】
画像形成部１２は、電子写真方式又はインクジェット方式の印刷機構を備える。ＬＡＮ通信部１３は、無線ＬＡＮに対応した通信インターフェース装置及び有線ＬＡＮに対応した通信インターフェース装置によって構成される。ＰＳＴＮ通信部１４は、ＦＡＸモデムや音声ＣＯＤＥＣなど、公衆回線（Public Switched Telephone Networks；ＰＳＴＮ）に接続する上で必要となる各種機器によって構成される。
【００３１】
操作パネル６は、利用者が複合機１に対して各種指令を与える際に操作する入力装置（例えば、タッチパネル、各種ボタン類、スイッチ類）と、複合機１の動作状態などを利用者に通知するための出力装置（例えば、液晶ディスプレイ装置）を備える。
【００３２】
読取ユニット３は、複数の読取素子を有するライン型のイメージセンサ２１と、イメージセンサ２１を支持するキャリッジ２３を備える。イメージセンサ２１は、本実施形態の場合、密着イメージセンサ（ＣＩＳ；Contact Image Sensor）とされている。
【００３３】
また、読取ユニット３は、モータ２５と、モータ２５によって駆動されるギヤ機構２７と、ギヤ機構２７によって駆動されるタイミングベルト２９などを備え、上述のキャリッジ２３は、タイミングベルト２９に連結されている。モータ２５は、制御部１１のインターフェース部１１Ｅに設けられたモータ駆動部１１Ｇから駆動信号を受けて作動する。
【００３４】
モータ２５が発生させた動力は、ギヤ機構２７及びタイミングベルト２９を介してキャリッジ２３へと伝達される。その結果、キャリッジ２３はイメージセンサ２１とともに図１中に示した右方向及び左方向へ移動する。
【００３５】
ＡＤＦユニット４には、原稿を所定の搬送経路に沿って搬送する搬送ローラ３１〜３９が設けられている。また、ＡＤＦユニット４には、モータ４１と、モータ４１によって駆動されるギヤ機構４３などが設けられている。モータ４１は、制御部１１のインターフェース部１１Ｅに設けられたモータ駆動部１１Ｆから駆動信号を受けて作動する。
【００３６】
モータ４１が発生させた動力は、ギヤ機構４３を介して搬送ローラ３１〜３９へと伝達される。搬送ローラ３１〜３９のうち、いくつかのローラはギヤ機構４３によって直接駆動される駆動ローラとされ、残りのいくつかのローラは、駆動ローラ又は原稿に追従して回転する従動ローラとされている。このようなＡＤＦユニット４が読取ユニット３と協働することで、複合機１がＡＤＦ型イメージスキャナとして機能する。
【００３７】
［本体ユニット及び読取ユニットの詳細］
読取ユニット３は、図３（ａ）及び図３（ｂ）に示すように、左右方向に延びる仮想的な軸線Ａｒを回動中心として、本体ユニット２に対して回動可能に連結され、これにより、閉位置（図３（ａ）参照。）及び開位置（図３（ｂ）参照。）へ変位可能な構造とされている。なお、図３（ａ）及び図３（ｂ）では、本体ユニット２及び読取ユニット３以外の構成（例えば、ＡＤＦユニット４や操作パネル６など）については、図示を省略してある。
【００３８】
読取ユニット３が閉位置へ移動した場合、本体ユニット２の上面側にある開口部は読取ユニット３によって閉鎖される。一方、読取ユニット３が開位置へ移動した場合、本体ユニット２の上面側にある開口部は開放される。
【００３９】
読取ユニット３は、図３，図４，及び図５に示すように、読取ユニット３の上面側となる部分を構成する上側支持部材５１と、読取ユニット３の下面側となる部分を構成する下側支持部材５２と、ガラス製の原稿載置部材５３とを備えている。
【００４０】
原稿載置部材５３は、図５に示すように、上側支持部材５１と下側支持部材５２との間に挟み込まれた状態で支持されている。この原稿載置部材５３の下方には、上述のイメージセンサ２１、キャリッジ２３、及びタイミングベルト２９などが配設されている。
【００４１】
本体ユニット２の前部上端には、図１及び図３に示すように、外装部５５が設けられている。この外装部５５は、読取ユニット３を閉位置へ変位させた際に（図３（ａ）参照。）、上側支持部材５１と隣接する箇所に配置されている。上側支持部材５１の上面と外装部５５の上面は、読取ユニット３を閉位置へ変位させた状態において上側支持部材５１と外装部５５との境界部分に段差が生じない形状（すなわち、上側支持部材５１の上面から外装部５５の上面にわたってフラットな面が構成される形状）とされている。
【００４２】
読取ユニット３には、図６に示すように、第一凸部６１、第二凸部６２、及び第三凸部６３が設けられ、本体ユニット２には、図７に示すように、第一凹部６６、第二凹部６７、及び第三凹部６８が設けられている。
【００４３】
これらのうち、第一凸部６１及び第二凸部６２は、図６に示すように、左右方向（すなわち、読取ユニット３の回動中心となる軸線が延びる方向）の両端付近に配置され、第三凸部６３は、第一凸部６１と第二凸部６２の間となる位置に配置されている。第一凹部６６、第二凹部６７、及び第三凹部６８は、図７に示すように、第一凸部６１、第二凸部６２、及び第三凸部６３が設けられた位置に対応付けて形成されている。具体的には、読取ユニット３を閉位置へ変位させた際に第一凸部６１が第一凹部６６に、第二凸部６２が第二凹部６７に、そして第三凸部６３が第三凹部６８に嵌まり込む位置関係に形成されている。
【００４４】
第一凸部６１、第二凸部６２、及び第三凸部６３は、上側支持部材５１を金型で成型する際に、上側支持部材５１の一部として一体成形された部分であり、上側支持部材５１の下面側から下方に向かって突出している。下側支持部材５２には、図６に示すように、第一貫通孔７１、第二貫通孔７２、及び第三貫通孔７３が形成され、第一凸部６１、第二凸部６２、及び第三凸部６３は、第一貫通孔７１、第二貫通孔７２、及び第三貫通孔７３に通されている。これにより、第一凸部６１、第二凸部６２、及び第三凸部６３それぞれの下端は、下側支持部材５２の下面側から更に下方に向かって突出している。
【００４５】
第一凹部６６、第二凹部６７、及び第三凹部６８は、外装部５５を金型で成型する際に、外装部５５の一部として一体成形された部分であり、いずれも上側に開口を有する有底穴とされている。
【００４６】
第一凸部６１及び第二凸部６２は、全く同等な形状とされている（以下、図８（ａ）〜図８（ｃ）には第一凸部６１を図示。）。第一凸部６１及び第二凸部６２は、図８（ａ）〜図８（ｃ）に示すように、中心から放射状に延出する四つの板状部分８１〜８４を有する形状とされている。これらのうち、板状部分８３，８４は、外周側端面で第一凹部６６及び第二凹部６７の内面に当接して、上側支持部材５２を前後方向に位置決めする。
【００４７】
第一凸部６１及び第二凸部６２の突出方向先端（下端）には平坦部８５が形成され、平坦部８５よりも外周側となる位置には、第一凸部６１及び第二凸部６２の突出方向先端側ほど第一凸部６１及び第二凸部６２それぞれの中心に近づく傾斜が付与された傾斜面８６〜８９が形成されている。
【００４８】
傾斜面８６〜８９は、いずれも第一凸部６及び第二凸部６２の突出方向に対して所定角度（本実施形態の場合は４５度）の傾きをなしている。ただし、前後方向両側にある傾斜面８８，８９の方が左右方向両側にある傾斜面８６，８７よりも第一凸部６１及び第二凸部６２それぞれの中心近くに達している。
【００４９】
一方、第三凸部６３は、図８（ｄ）〜図８（ｆ）に示すように、中心から放射状に延出する四つの板状部分９１〜９４を有する形状とされている。これらのうち、板状部分９１，９２は、外周側端面で第三凹部６８の内面に当接して、上側支持部材５２を左右方向に位置決めする。
【００５０】
第三凸部６３の突出方向先端（下端）には平坦部９５が形成され、平坦部９５よりも外周側となる位置には、第三凸部６３の突出方向先端側ほど第三凸部６３の中心に近づく傾斜が付与された傾斜面９６〜９９が形成されている。
【００５１】
傾斜面９６〜９９は、いずれも第三凸部６３の突出方向に対して所定角度（本実施形態の場合は４５度）の傾きをなしている。ただし、左右方向両側にある傾斜面９６，９７の方が前後方向両側にある傾斜面９８，９９よりも第三凸部６３の中心近くに達している。
【００５２】
以上のような第一凸部６１、第二凸部６２、第三凸部６３、第一凹部６６、第二凹部６７、及び第三凹部６８により、読取ユニット３を閉位置へ変位させた際に本体ユニット２と読取ユニット３との相対位置を位置決めする位置決め機構が構成される。
【００５３】
より詳しく説明すると、読取ユニット３を閉位置へ変位させた際、第一凸部６１及び第二凸部６２は、第一凹部６６及び第二凹部６７に嵌まり込むことで、前後方向及び上下方向について、本体ユニット２に対する読取ユニット３の相対位置を位置決めする。また、第三凸部６３は、第三凹部６８に嵌まり込むことで、左右方向について、本体ユニット２に対する読取ユニット３の相対位置を位置決めする。
【００５４】
本実施形態の場合、図９に示すように、第一凸部６１及び第二凸部６２については、第一凹部６６及び第二凹部６７に嵌まり込んだ際に、先端にある平坦部８５が第一凹部６６及び第二凹部６７の底に当接する（ただし図９には第一凸部６１を例示。）。一方、第三凸部６３については、第三凹部６８の底が第一凹部６６及び第二凹部６７の底よりも深い位置にあるため、第三凸部６３の先端は第三凹部６８の底には届かない。
【００５５】
そのため、第一凸部６１及び第二凸部６２は上下方向の位置決めに関与することになるが、第三凸部６３は上下方向の位置決めには関与しない。すなわち、本実施形態においては、第一凸部６１及び第二凸部６２が、本発明でいう当接部ないし突出部に相当し、第一凹部６６及び第二凹部６７が、本発明でいう被当接部ないし嵌合部に相当する。
【００５６】
また、上下方向について、読取ユニット３が本体ユニット２に対して位置決めされる際には、特に、読取ユニット３側にある上側支持部材５１が、本体ユニット２側にある外装部５５に対して精度よく位置決めされることになる。すなわち、第一凹部６６及び第二凹部６７は上側支持部材５１に一体成形され、第一凹部６６及び第二凹部６７は外装部５５に一体成形されているので、上側支持部材５１と外装部５５は他部材を介することなく直接位置決めされ、その位置決め精度は高くなる。
【００５７】
そのため、上側支持部材５１の上面５１Ａと外装部５５の上面５５Ａの高さ位置も精度よく位置決めされ、これにより、上側支持部材５１と外装部５５との境界部分に段差が生じるのを抑制することができる。
【００５８】
すなわち、上側支持部材５１と外装部５５との間にいくつもの他部材が介在する場合、それらいくつもの部材間には公差の範囲内で組み付け誤差が生じ得るため、そのような公差が蓄積すると、上側支持部材５１と外装部５５の高さ位置にばらつきが生じ得る。この点、本実施形態のように、上側支持部材５１と外装部５５が直接位置決めされる構造となっていれば、上述のような公差の蓄積は生じず、上側支持部材５１の上面５１Ａと外装部５５の上面５５Ａの高さ位置を精度よく揃えることができる。
【００５９】
［効果］
以上説明したように、上記複合機１によれば、読取ユニット３を閉位置へ変位させた際には、上述のような位置決め機構により、上側支持部材５１と外装部５５を上下方向について精度よく位置決めする。したがって、上側支持部材５１と外装部５５の境界に上下方向の段差が生じるのを防止ないし抑制することができる。
【００６０】
また、上記複合機１によれば、第一凸部６１及び第二凸部６２が第一凹部６６及び第二凹部６７に嵌合するので、第一凸部６１及び第二凸部６２の先端で上下方向の位置決めをするのと同時に、第一凸部６１及び第二凸部６２の側面で前後方向の位置決めを行うことができる。
【００６１】
また、上記複合機１によれば、第一凸部６１及び第二凸部６２の先端にある平坦部８５と第一凹部６６及び第二凹部６７の底が当接することで、上側支持部材５１と外装部５５が位置決めされるので、このような平坦部８５が存在しない場合に比べ、当接面の面積が確保され、一点に荷重が集中するのを抑制できる。これにより、第一凸部６１及び第二凸部６２の変形や摩耗を抑制でき、上下方向の位置決め精度が良好な状態を適切に維持することができる。
【００６２】
また、上記複合機１によれば、両端にある第一凸部６１及び第二凸部６２で、前後方向（本発明でいう「読取ユニットの回動中心となる軸線が延びる方向及び上下方向の双方に対して垂直な方向」。）の位置決めを行うので、中央にある第三凸部６３を利用して前後方向の位置決めを行う場合よりも、第一凸部６１及び第二凸部６２間の距離を長くとることができ、これにより、読取ユニット３の回動中心との平行度を高めることができる。
【００６３】
また、中央にある第三凸部６３で左右方向（本発明でいう「読取ユニットの回動中心となる軸線が延びる方向」。）の位置決めを行うので、第一凸部６１及び第二凸部６２に比べ、左右方向いずれか一方の端部までの距離が過剰に遠くなるのを抑制でき、これにより公差の蓄積を抑制して、位置決め精度を高めることができる。
【００６４】
上記複合機１によれば、第一凸部６１及び第二凸部６２は、放射状に延びた板状部分８１〜８４の端面で第一凹部６６及び第二凹部６７の内面に接触するので、円柱状の凸部などに比べ、第一凹部６６及び第二凹部６７の内面との接触面積が減少する。したがって、第一凸部６１及び第二凸部６２と第一凹部６６及び第二凹部６７との間に作用する摩擦抵抗が小さくなり、読取ユニット３を回動させる際の動きをスムーズにすることができる。
【００６５】
また、第一凸部６１及び第二凸部６２には傾斜面８６〜８９を設けてあり、第一凸部６１及び第二凸部６２の先端は先端側ほど細くなる形状とされているので、このような傾斜面がないものに比べ、第一凹部６６及び第二凹部６７に対してスムーズに抜き差しできる。
【００６６】
特に、傾斜面８６，８７と傾斜面８８，８９とでは、傾斜角は同じであるものの、第一凸部６１及び第二凸部６２の中心からの距離が異なっている。そのため、第一凸部６１及び第二凸部６２は、前後方向から見た場合と左右方向から見た場合とで、先端の尖り具合が異なる形状となる。したがって、円柱状の凸部の先端に円錐台状のテーパー面を付けたものとは異なり、左右方向と前後方向で第一凸部６１及び第二凸部６２の特性をそれぞれ調節することができる。
【００６７】
［その他の実施形態］
以上、本発明の実施形態について説明したが、本発明は上記の具体的な一実施形態に限定されず、この他にも種々の形態で実施することができる。
【００６８】
例えば、上記実施形態においては、読取ユニット３側に当接部ないし突出部に相当する第一凸部６１及び第二凸部６２を設け、本体ユニット２側に被当接部ないし嵌合部に相当する第一凹部６６及び第二凹部６７を設けていたが、これは逆でもよい。すなわち、本体ユニット２側に当接部ないし突出部に相当するものを設け、読取ユニット３側に被当接部ないし嵌合部に相当するものを設けてもよい。
【００６９】
また、上記実施形態では、第一凸部６１及び第二凸部６２が本発明でいう当接部ないし突出部に相当するものであったが、更に第三凸部６３が本発明でいう当接部ないし突出部として機能する構成であってもよい。すなわち、第三凸部６３を利用して、上下方向の位置決めが行われるようになっていてもよい。この場合、第一凸部６１又は第二凸部６２のいずれかは上下方向の位置決めをしないものでもよい。つまり、二つ以上の凸部で上下方向の位置決めができればよい。
【００７０】
また、上記実施形態では、第一凸部６１、第二凸部６２、及び第三凸部６３が、放射状に延出する四つの板状部分を有する形状とされていたが、板状部分の数は四つに限らない。
【００７１】
また、上記実施形態では、本発明の画像読取装置の一例として、複合機として構成された画像読取装置を例示したが、複合機として構成されているか否かは任意であり、単機能の画像読取装置、コピー機、ファクシミリ装置などにおいて、本発明の構成を採用してもよい。
【符号の説明】
【００７２】
１…複合機、２…本体ユニット、３…読取ユニット、４…ＡＤＦユニット、６…操作パネル、８…給紙カセット、９…取出口、１１…制御部、１１Ａ…ＣＰＵ、１１Ｂ…ＲＯＭ、１１Ｃ…ＲＡＭ、１１Ｄ…ＮＶＲＡＭ、１１Ｅ…インターフェース部、１１Ｆ，１１Ｇ…モータ駆動部、１２…画像形成部、１３…ＬＡＮ通信部、１４…ＰＳＴＮ通信部、２１…イメージセンサ、２３…キャリッジ、２５…モータ、２７…ギヤ機構、２９…タイミングベルト、３１〜３９…搬送ローラ、４１…モータ、４３…ギヤ機構、５１…上側支持部材、５２…下側支持部材、５３…原稿載置部材、５５…外装部、６１…第一凸部、６２…第二凸部、６３…第三凸部、６６…第一凹部、６７…第二凹部、６８…第三凹部、７１…第一貫通孔、７２…第二貫通孔、７３…第三貫通孔、８１〜８４…板状部分、８５…平坦部、８６〜８９…傾斜面、９１〜９４…板状部分、９５…平坦部、９６〜９９…傾斜面。
【図１】
2014110472.tif 000003
【図２】
2014110472.tif 000004
【図３】
2014110472.tif 000005
【図４】
2014110472.tif 000006
【図５】
2014110472.tif 000007
【図６】
2014110472.tif 000008
【図７】
2014110472.tif 000009
【図８】
2014110472.tif 000010
【図９】
2014110472.tif 000011